(57)【要約】      （修正有）【課題】メタンハイドレートを効率よく、安全に採掘する方法を提供する【解決手段】リモコン式の電動式ロボットに、掘削のためのドリルや掘削物を汲み上げる機構、それに本体下部にキャタピラを装備し、これにより汲み上げた堆積物を粉砕し、海面に近い海水を吸い込むポンプを用いて散水、堆積物を溶かしメタンガスと水と残砂を分離し、ガスのみを吸い込む装置７及びメタンガスを陸上までパイプで引き込み、これを圧縮・液化し、ボンベにつめる装置と、これらを制御する配電盤と制御装置を収納した装置８等から成る。【選択図】図１
2014141861.tif 000002
【特許請求の範囲】
【請求項１】
海底の堆積物中に存在する地下資源（メタンハイドレート）を掘削する場合において、完全なリモコン式の電動式ロボットに、掘削のためのドリル、ハンマー、バケット、掘削物を汲み上げる機構、本体下部にはキャタピラ付走行など装備し、全てステンレス製にした装置１。及び、汲み上げた堆積物を粉砕し、これに海面に近い海水を吸い込むポンプと内部で散水し、堆積物を溶かしメタンガスと水と残砂を分離し、ガスのみを吸い込む装置２。及び、メタンガスを陸上までパイプで引き込み、これを圧縮し液化しボンベにつめる装置とこれらを制御する配電盤と制御装置を収納した装置３。などからなる事を特徴とした、海底資源掘削装置。
【発明の詳細な説明】
【技術分野】
【０００１】本発明は、日本近海に多量に存在するメタンハイドレートを効率よく発掘する装置に関する。
【背景技術】
【０００２】中東の原油も政情不安から高騰し、原子力発電を放棄するためには、再生可能エネルギーに頼るしかないが、時間がかかり安くない。アメリカでシェルガスが有望視されているが、日本近海にも莫大な埋蔵量があるメタンハイドレートを効率的に採掘すれば、エネルギーの心配が無くなる。
【発明の開示】
【発明が解決しようとする課題】
【０００３】これまで海底の原油を採掘するには、海にやぐらを組んで油井を作った。所がメタンハイドレートは低温高圧の下で閉じこめられており、油井を作れば吹き出てくるものではない。現在、日本で試掘しようとしている方法も、この油井と変わらず、深海に油井のようにやぐらを組んで減圧法でガスを吸い取る方法が主たる研究となっている。これは、メタンガス層が広く分布している事、層の厚みが薄く一カ所に固定しても期間が限られている。など課題が多い。
他に、ロシアからシベリア経由でパイプラインを引く計画もあるという。その費用で本発明のロボットが何台も作れる。
【課題を解決するための手段】
【００４】先ず、どんな海中でも自在に動く電動式の完全なロボットを開発する（装置１）。次に海底にハイドレートを砕き、海面に近い温かい海水を引き込み溶かしてメタンを発生させる（装置２）。陸上には、発生したメタンを圧縮しタンクに収め、各装置の制御を行う（装置３）等により課題を解決する。本発明は、レアメタルなどの掘削にも応用出来る。
【発明の効果】
【００５】１）ボーリング方式は、一油井に対して一ポイントであるのに比べ、その回りに幾らでも    広げる事ができる。
２）油井のようなやぐらを作ると海上、特に船の航海の邪魔になる。全て海中で処理出来    る
３）総合して低価格になる。
４）本装置はレアメタルの採掘にも使用出来る。
５）安全性が高い。大地震のような万が一の時は電源を切ればよい。
【発明の実施例】
【００６】以下、図１〜図４に従って、本発明の主要部を説明する。
図１、において、１，海水層、２，砂や泥等の堆積層、３，メタンハイドレード層、４，岩盤（地層）で、３，の層からメタンが砂や泥の中に混在している。
従って、当初は、陸上より６，ロボットをリモコンにより事前調査により得た場所に走らせ、２，堆積層を掘り下げる。掘った泥は海に流す。３，メタンハイドレート層に達すると、２７，カバーをかけ、１５，パイプで運ばれたハイドレートを７，処理装置で６，ロボットの近くの海底面に設置する。メタンガスは、そこから地上の８，制御室に送られ、圧縮され、液化されタンクに送られるという全体のシステムを表す。
【００７】  図２，は装置１，の概略を示す図で、掘削ロボットに必要な機能を表す。１１，機構部で全ての機能部材を収納し、１２，動力車はその動力となるモーターや制御部が収納され、その下部にはチャタピラが自在に向きを変えられるようになってい走行する。１３，ハンマーアームで砕いたハイドレートを１８、バケットアームで１７，受け皿にすくい入れる、１５，パイプの中に１６，螺旋回転体があり、回転すると１７，受け皿のハイドレートが上昇する。
【００８】  図３，は装置２，の概略を示す図で、海底面に設置する。２２，パイプ（図２の１５，パイプの先端部）が装置２，に堆積物（メタンハイドレート）を運び、２３，粉砕器で細かく砕き、そこへ、２１，吸い込みポンプにより海面に近い、温度の高い（１０℃以上）海水を引き込み、粉砕したハイドレートに散布する。そこから大量のメタンガスが発生する。２０，はフレキシブルパイプで１０，ブイで下面に穴が開いておりそこから海水が吸い込まれる。勿論、魚類が入り込まないよう金網等を貼り付ける。２６，メタンガス用パイプで装置３，に送る。
【００９】  図４，は、装置３，で陸上に設置し、２６，メタンガスパイプに２９，ガス吸入ポンプで吸い取り、これを３０，圧縮機液化して、Ａタンクなどへ送られる。
この装置３，には、システム全体を制御する２８，配電盤、制御板が内蔵される。
尚、これらの装置１，２，３，のそれぞれに必要な箇所に監視カメラを設置し、万一の時に備える。
【図面の簡単な説明】
【０１１】
【図１】  本発明の全体構想断面図
【図２】  装置１，の機能概略側面図
【図３】  装置２，の機能概略断面図
【図４】  装置３，の機能概略断面図
【符号の説明】  １，  海水層                            ２，  海底堆積層
３，  メタンハイドレート層              ４，  岩盤地盤
５，  最終パイプ                        ６，  装置１
７，  装置２                            ８，  装置３
９，  電線                            １０，  ブイ
１１，  機構装置                        １２，  動力車
１３，  掘削アーム                      １４，  キャタピラ
１５，  吸い上げパイプ                  １６，  螺旋軸
１７，  受け皿                          １８，  バケットアーム
１９，  陸上                            ２０，  フレキシブルパイプ
２１，  吸入ポンプ                      ２２，  導入パイプ
２３，  粉砕器                          ２４，  キャタピラ動力
２５，  チャタピラ                      ２６，  キャタピラ
２７，  カバー                          ２８，  配電盤、制御盤
２９，  ガス吸入器                      ３０，  圧縮機
【図１】
2014141861.tif 000003
【図２】
2014141861.tif 000004
【図３】
2014141861.tif 000005
【図４】
2014141861.tif 000006